(57)【特許請求の範囲】
【請求項１】
上本体と、前記上本体にパイプを介して接続された下本体と、前記下本体の下面側に配設された蛍光ランプと、前記下本体の下面側に前記蛍光ランプを覆うように覆設され上端部が前記下本体の外周端よりも外側且つ前記下本体の上面よりも上方まで形成されたグローブとを備え、光信号を用いて前記蛍光ランプのオン・オフ或いは点灯出力をリモートコントロール制御する照明器具において、前記光信号を受信する２個の光信号受信部を、その受光軸が前記下本体の上面と略平行となるように前記下本体の上面側に配設するとともに、一方の光信号受信部を下本体の外周端付近に配置し、且つ、前記光信号受信部の受光窓に面した側の前記下本体の外周端から前記受光窓までの距離が前記下本体の外周端から前記下本体の中心までの距離よりも長くなるように、互いの受光窓を前記下本体の中心を挟んで対向させたことを特徴する照明器具。
【発明の詳細な説明】
【０００１】
【発明の属する技術分野】
本発明は、光信号を用いて照明のオン・オフ或いは照度をリモートコントロール制御（以下、リモコン制御と略す）する照明器具に関するものである。
【０００２】
【従来の技術】
従来より、赤外光等の光信号を用いて照明のオン・オフや照度をリモコン制御する照明器具があった。例えば、図２に示すように、天井面１１に配設された上本体１と、上本体１にパイプ２を介して接続される下本体３と、下本体３の下面側に配設された蛍光ランプ４と、下本体３の下面側の略中央に配設されたスポット用の白熱灯５ａと、下本体３の上面側に配設されたアッパー用の白熱灯５ｂ，５ｂと、蛍光ランプ４とスポット用の白熱灯５ａとを覆うように下本体３の下面側に覆設されたグローブ７と、上本体１に受光窓９を下向きにして配設された光信号受信部たるリモコン受光部８とを備えており、リモコン受光部８はリモコン送信部（図示せず）から送信された光信号を受信し、この光信号に基づいて蛍光灯４及び白熱灯５ａ，５ｂのオン・オフや照度が制御されている。
【０００３】
また、図３に示すような照明器具もあり、この照明器具は、天井面１１に配設された上本体１と、上本体１にパイプ２を介して接続された下本体３と、下本体３の下面側に配設された蛍光ランプ４，４と、下本体３の下面側の略中央に配設されたスポット用の白熱灯５ａと、下本体３の上面側に配設されたアッパー用の白熱灯５ｂ，５ｂと、下本体３の下面側の両端に受光窓９ａ，９ｂを下向きにして配設された２個のリモコン受光部８ａ，８ｂと、蛍光ランプ４やスポット用の白熱灯５ａ及びリモコン受光部８ａ，８ｂを覆うように下本体３の下面側に覆設されたグローブ７とを備えており、グローブ７の上端部は下本体３の外周端よりも外側まで下本体３の上面よりも上方まで形成されている。ここで、リモコン受光部８ａ，８ｂはリモコン送信部から送信された光信号を受信し、この光信号に基づいて蛍光灯４、スポット用の白熱灯５ａ及びアッパー用の白熱灯５ｂ，５ｂのオン・オフや照度が制御されている。
【０００４】
【発明が解決しようとする課題】
上記構成の照明器具では、蛍光ランプ４のランプ光に含まれる赤外光が、蛍光ランプ４から直接又はグローブ７等によって反射されてリモコン受光部８の受光窓９に入射し、リモコン受光部８の入射光の赤外領域がマスクされるためにＳ／Ｎ比が悪化して、リモコン受光部８の受信性能が低下するという問題点があった。
【０００５】
本発明は上記問題点に鑑みて為されたものであり、蛍光ランプのランプ光が直接又はグローブによって反射されてリモコン受光部に入射するのを防止し、受光窓に入射する光のノイズ成分を除去してＳ／Ｎ比を向上させ、リモコン受光部の受信性能を向上させた照明器具を提供することを目的とするものである。
【０００６】
【課題を解決するための手段】
本発明では、上記目的を達成するために、上本体と、上本体にパイプを介して接続された下本体と、下本体の下面側に配設された蛍光ランプと、下本体の下面側に蛍光ランプを覆うように覆設され上端部が下本体の外周端よりも外側且つ下本体の上面よりも上方まで形成されたグローブとを備え、光信号を用いて蛍光ランプのオン・オフ或いは点灯出力をリモートコントロール制御する照明器具において、光信号を受信する２個の光信号受信部を、その受光軸が下本体の上面と略平行となるように下本体の上面側に配設するとともに、一方の光信号受信部を下本体の外周端付近に配置し、且つ、光信号受信部の受光窓に面した側の下本体の外周端から受光窓までの距離が下本体の外周端から下本体の中心までの距離よりも長くなるように、互いの受光窓を下本体の中心を挟んで対向させているので、蛍光ランプのランプ光が直接又はグローブの内面で反射されて受光窓に入射するのを防止することができる。
【０００７】
【発明の実施の形態】
本発明の実施の形態を図面を参照して説明する。
本実施形態の照明器具は、図１（ａ）（ｂ）に示すように、上本体１と、上本体１にパイプ２を介して接続される円盤状の下本体３と、下本体３の下面側に配設されるベース用の蛍光ランプ４と、下本体３の下面側略中央に配設された白熱灯５ａからなるスポット部６と、下本体３の上面側に配設された４個のアッパー用の白熱灯５ｂと、蛍光ランプ４及びスポット部６を覆うように下本体３の下面側に覆設された上グローブ７ａ及び下グローブ７ｂと、下本体３の上面側に配設された光信号受信部たるリモコン受光部８ａ，８ｂとを備えている。ここで、上グローブ７ａ及び下グローブ７ｂは一体的に下本体３に取り付けられており、上グローブ７ａの上端部は下本体３の外周端よりも外側まで、且つ、下本体３の上面よりも上方まで形成されている。
【０００８】
リモコン受光部８ａ，８ｂは、リモコン送信器（図示せず）から送信される赤外光を用いた光信号を受光しており、その受光軸が下本体３の上面側と略平行になるように下本体３の上面側に配設されている。また、リモコン受光部８ａ，８ｂは、受光窓９ａ，９ｂに面した側の下本体３の外周端から受光窓９ａ，９ｂまでの距離Ｌ1 ，Ｌ2 が下本体３の半径ｒよりも夫々長くなるように配設されており（Ｌ1 ＞ｒ，Ｌ2 ＞ｒ）、その受光窓９ａ，９ｂは下本体３の中心を挟んで夫々外側を向いている。
【０００９】
ところで、上グローブ７ａ及び下グローブ７ｂは共に透光性を有しており、蛍光ランプ４のランプ光の一部（図１のＡ）が下グローブ７ｂと上グローブ７ａとを介して下本体３の上面側に通り抜けている。この時、受光窓９ａ，９ｂに面した側の下本体３の外周端から受光窓９ａ，９ｂまでの距離Ｌ1 ，Ｌ2 を下本体３の半径ｒよりも長くすることによって、下グローブ７ｂと上グローブ７ａとを通り抜けた蛍光ランプ４の透過光（図１のＡ）が上グローブ７ａの内面で反射されてリモコン受光部８ａ，８ｂに入射するのを防止しており、透過光の影響が小さくなるので、リモコン受光部８ａ，８ｂの受信性能が向上する。
【００１０】
ここで、一方のリモコン受光部８ａには、器具内スイッチ（図示せず）が一体に設けられている。この器具内スイッチの操作はスポット部６を取り外して行うようになっているので、スイッチ操作を容易にするためにリモコン受光部８ａは下本体３の中心付近に配設されている。他方のリモコン受光部８ｂは、光信号の受信機能しか備えていないので、光信号の受信性能を少しでも良くするために、距離Ｌ2 をできるだけ長くしており、下本体３の外周端付近に配設されている（Ｌ2 ≒２ｒ）。
【００１１】
さらに、上本体１の内部には、高周波点灯装置やリモコン制御部からなる制御部１０が納装されており、制御部１０と蛍光ランプ４、白熱灯５ａ，５ｂ及びリモコン受光部８ａ，８ｂとを接続する配線はパイプ２内に挿通されて配線されている。そして、リモコン送信器から送信された光信号は壁面や天井面等に反射され、上本体１と下本体３との間の空間を通って、リモコン受光部８ａ，８ｂの受光窓９ａ，９ｂに入射し、制御部１０は、リモコン受光部８ａ，８ｂが受信した光信号に基づいて、蛍光ランプ４及び白熱灯５ａ，５ｂのオン・オフや照度を制御している。
【００１２】
さらに、この照明器具では、リモコン受光部８ａ，８ｂが下本体３の上面側に配設されており、近くに蛍光ランプ４や白熱灯５，５ｂなどの発熱源が無いので、リモコン受光部８ａ，８ｂの温度上昇を低減することができる。
【００１３】
【発明の効果】
本発明は、上述のように、上本体と、上本体にパイプを介して接続された下本体と、下本体の下面側に配設された蛍光ランプと、下本体の下面側に蛍光ランプを覆うように覆設され上端部が下本体の外周端よりも外側且つ下本体の上面よりも上方まで形成されたグローブとを備え、光信号を用いて蛍光ランプのオン・オフ或いは点灯出力をリモートコントロール制御する照明器具において、光信号を受信する２個の光信号受信部を、その受光軸が下本体の上面と略平行となるように下本体の上面側に配設するとともに、一方の光信号受信部を下本体の外周端付近に配置し、且つ、光信号受信部の受光窓に面した側の下本体の外周端から受光窓までの距離が下本体の外周端から下本体の中心までの距離よりも長くなるように、互いの受光窓を下本体の中心を挟んで対向させているので、蛍光ランプのランプ光が直接又はグローブの内面で反射されて受光窓に入射するのを防止できる。したがって、光信号受信部のＳ／Ｎ比を向上させることができ、光信号受信部の受信性能を向上できるという効果がある。また、光信号の受信性能が向上するので、光信号の到達距離を伸ばすことができるという効果もある。
【図面の簡単な説明】
【図１】本実施形態の照明器具を示し、（ａ）は上面図、（ｂ）は一部破断した平面図である。
【図２】従来の照明器具を示す断面図である。
【図３】同上の別の照明器具を示す断面図である。
【符号の説明】
１  上本体
２  パイプ
３  下本体
４  蛍光ランプ
５ａ  白熱灯
７ａ  上グローブ
７ｂ  下グローブ
８ａ，８ｂ  リモコン受光部
９ａ，９ｂ  受光窓
Ｌ1 ，Ｌ2   距離
ｒ  半径
【図１】
0003851379.tif 000002
【図２】
0003851379.tif 000003
【図３】
0003851379.tif 000004